(57)【要約】弾薬及び火器に対する銃身アセンブリにおいて、該銃身アセンブリが、個別選択的に点火可能な発射装薬(15)と共に銃身内に軸方向に積重ねられた複数個の管状弾(11)を有する、銃口をもった銃身(12)を備えている。弾(11)は、管状本体(13a,13b,13c,13d)と管状本体間に介在配置された閉鎖部材(14a,14b,14c,14d)とを有し、環状弾(11)の間に作動的な封止係合と銃身(12)に作動的な封止係合の両方を作っている。発射装薬(15)は各弾(11)に内蔵され、選択的に点火可能で隣接する前方の弾(13a)及び関連する閉鎖部材(14a)を銃身の銃口を通って発射する。
2004526937.tif 000002
【特許請求の範囲】
【請求項１】
弾薬及び火器に対する銃身アセンブリにおいて、該銃身アセンブリが、
銃口を有する銃身と、
前記銃身内に軸方向に積重ねられ、該銃身に作動的に封止係合するように配置された複数個の管状弾と、
管状弾の間に介在し、管状弾の間の作動的な銃身閉鎖を達成する閉鎖手段と、及び
選択的に点火可能であり、銃身の銃口を通って隣接する前方の弾丸と関連する閉鎖手段とを推進するため点火可能な各弾内の発射装薬とを備える、銃身アセンブリ。
【請求項２】
請求項１に記載の銃身アセンブリにおいて、各管状弾は開放端を持つ管状本体部をもち、閉鎖部材は隣接する管状本体部の間に挟まれた閉鎖壁部材である、銃身アセンブリ。
【請求項３】
請求項２に記載の銃身アセンブリにおいて、各閉鎖壁部材は延在して銃身の銃腔に接触して、銃身に作動的に封止係合する、銃身アセンブリ。
【請求項４】
請求項３に記載の銃身アセンブリにおいて、閉鎖壁部材は隣接する管状弾の端面に挟まれており、閉鎖壁部材の周辺部は、端面から加わる軸方向の圧縮によって隣接する管状弾の間で外向きに拡がって銃身に作動的に封止係合する、銃身アセンブリ。
【請求項５】
請求項３又は４に記載の銃身アセンブリにおいて、隣接する管状弾の端面は銃身の半径方向に延在している、銃身アセンブリ。
【請求項６】
請求項３又は４に記載の銃身アセンブリにおいて、隣接する管状弾の端面は、挟まれた閉鎖壁部材の周辺部の夫々の相補的なくさび面に係合するように形成されている、銃身アセンブリ。
【請求項７】
請求項２に記載の銃身アセンブリにおいて、管状弾は相互に突き合わせとなる又は密に隣接する相補的な外側端壁部を持ち、閉鎖壁部材は内側及び外側の壁部間に挟まれている、銃身アセンブリ。
【請求項８】
請求項７に記載の銃身アセンブリにおいて、隣接する管状弾の端面は、半径方向及び／又は銃身軸の斜め方向に延在している、銃身アセンブリ。
【請求項９】
請求項７又は８に記載の銃身アセンブリにおいて、前記外側端壁部と前記内側端壁部は、隣接する弾の間に入れ子式係合をもたらすように相互に軸方向に離隔している、銃身アセンブリ。
【請求項１０】
請求項９に記載の銃身アセンブリにおいて、隣接する弾の入れ子部分は、外向きに拡がって隣接する弾の入れ子部分又は銃身に封止係合する薄い壁部分を有している、銃身アセンブリ。
【請求項１１】
請求項７〜１０のいずれか一項に記載の銃身アセンブリにおいて、挟まれた各封鎖壁部材はその前面に対する発射装薬の圧力に反応して、隣接する後方の弾に内蔵された装薬の噴き出し点火を封止する、銃身アセンブリ。
【請求項１２】
先行する請求項のいずれか一項に記載の銃身アセンブリにおいて、選択的に点火可能な各発射装薬は、弾の周りに延在し、銃身を通して突出する夫々の電気コンタクトに接触する一対の離間した環状コンタクトに接続する電気作動の雷管を有している、銃身アセンブリ。
【請求項１３】
先行する請求項のいずれか一項に記載の銃身アセンブリにおいて、環状弾は、管状本体に対し夫々の封鎖を収束して形成する外向きに収束する壁セグメントをもった管状本体を有している、銃身アセンブリ。
【請求項１４】
請求項１３に記載の銃身アセンブリにおいて、銃身内の先頭の弾以外の各弾は、発射装薬を有し、先頭の弾は次の弾の発射装薬が点火した時に銃身から発射される、銃身アセンブリ。
【請求項１５】
請求項１４に記載の銃身アセンブリにおいて、発射装薬の点火による圧力により、後方の弾の前方端にある壁セグメントが開放される、銃身アセンブリ。
【請求項１６】
火器又は弾薬の銃身アセンブリから発射する弾において、該弾は、
前記銃身アセンブリの銃身に装填され、該銃身に作動的に封止係合する開放端付き管状本体と、
前記管状本体と隣接する弾の間に介在配置され、弾の間に作動的な銃身閉鎖を形成する閉鎖部材と、及び
隣接する弾の管状本体内の選択的に点火可能な発射装薬とを備え、該発射装薬は点火可能であって管状本体を前記銃身の銃口を通って発射する、弾。
【請求項１７】
請求項１６に記載の弾において、閉鎖部材は隣接する弾の端面の間に挟まれ、壁部材の周辺部は、端面に加わる軸方向圧力によって隣接する弾の間で外向きに拡がって銃身に作動的に封止係合する、弾。
【請求項１８】
請求項１７に記載の弾において、隣接する管状弾の端面は、挟まれた閉鎖部材の周辺部で夫々の相補的なくさび面に係合するように形成されている、弾。
【請求項１９】
請求項１７又は１８に記載の弾において、管状本体は隣接する弾と入れ子式係合するような端面をもっている、弾。
【請求項２０】
請求項１６に記載の弾において、封鎖部材は、銃身内に装填された時に隣接する弾に用意された封鎖壁部材に突き合わせとなる、弾。
【発明の詳細な説明】
【技術分野】
【０００１】
本発明は、弾薬及び火器に関する。特に、本発明は、これに限定されないが、銃身の弾薬を介して逐次的に弾丸を推進する個別選択的に点火可能な発射装薬と共に銃身内に軸方向に積重ねられた複数個の弾丸を有する銃身アセンブリに適用される。このような銃身アセンブリを、以下、「記載のタイプの」と呼ぶことにする。
【背景技術】
【０００２】
本発明は、本発明者の先行国際出願番号ＰＣＴ／ＡＵ９４／００１２４及びＰＣＴ／ＡＵ９６／００４５９に示されるような特に記載のタイプの弾薬及び火器に関に関する。
【０００３】
管状弾は超音速弾丸のような或る限定された用途では知られているが、本出願人は、選択的に点火可能な発射装薬と共に銃身内に積重ねた、特に記載のタイプの銃身アセンブリに適した管状弾については何も知らない。
【発明の開示】
【課題を解決するための手段】
【０００４】
好ましくは、管状タイプの弾を発射出来るような電気的に制御された弾薬及び火器のための、特に記載の銃身アセンブリを提供し、またその目的のため管状弾を提供する。
【０００５】
本発明は、一面では、
銃口を有する銃身と、
前記銃身内に軸方向に積重ねられ、該銃身に作動的に封止係合するように配置された複数個の管状弾と、
管状弾の間に介在し、管状弾の間の両方の作動的な銃身閉鎖を達成する閉鎖手段と、及び
選択的に点火可能であり、銃身の銃口を通って隣接する前方の弾丸と関連する閉鎖手段とを推進するため点火可能な各弾内の発射装薬とを備える、記載のタイプの銃身アセンブリを提供する。
【０００６】
好ましくは、管状弾は、推進薬で離間されているが、突き合わせ関係に積重ねられている。各々の弾は、少なくともその後部端に関連して閉鎖手段をもった管状本体を有する。
【０００７】
閉鎖手段は、後方の弾丸の前方端部を閉鎖する役割もなしている。代わりに、燃焼効果により銃身から前方の弾丸を発射する内部装薬の点火時に前方端部の閉鎖を無効にするなら、各々の弾の前方及び後方端部に対して別の閉鎖手段を用いることが出来る。
【０００８】
閉鎖手段は、管状本体から離脱するように構成でき、或いは前方の管状本体に固定されてもよい。管状弾は、その空気力学的形状によって所望の飛行特性を持つように形成してよい。離脱する閉鎖手段を用いるとき、管状本体の内面形状は、飛行経路に合わせて弾丸の軸方向線を維持するよう作用する。代わりに、管状本体は、一端を他端より重くするように重量付けしてもよい。
【０００９】
閉鎖手段は、隣接する管状本体部間に挟み込まれる適当な閉鎖壁部材である。各閉鎖壁部材は、延在して、銃身に封止可能に係合する。代わりに、管状弾は、内側端壁部の間に挟まれた閉鎖壁部材と共に、隣接する相互に突き合わせ又は密に位置する相補的な外側端壁部をもってもよい。
【００１０】
前者の構成では、閉鎖壁部材は、隣接する管状弾の端面間に挟まれている。この閉鎖壁部材は、作動状態で変形しないように形成される。代わりに、閉鎖壁部材の周辺部は、端部面に加わる軸方向の圧縮によって管状弾の間で外向きに拡がって銃身に作動的に封止係合するように形成してもよい。低圧を用いる応用例では、このような銃身に密に封止係合するための変形は必要ない。
【００１１】
隣接する管状本体の端面は銃身の半径方向に延在してもよく、或いは隣接する管状弾の端面は挟まれた閉鎖壁部材の周辺部で夫々の相補的なくさび面に係合するように形成することもできる。
【００１２】
隣接する弾の管状本体は、相互に重なって隣接する弾の間に入れ子式の係合をもたらす。このため、弾は、隣接する弾の内側端壁部に重なる外側端壁部を有し、また、閉鎖壁部材は入れ子式の弾の内側の相補的な端部壁面の間に挟まれている。
【００１３】
所望なら、隣接する弾の入れ子式部分は、外向きに拡がって隣接する弾の入れ子式の部分に封止係合して、銃身に推進薬が逃げるのを防止し或いは隣接する発射装薬への噴き出しを防止する薄い壁部分を有する。代わりに、発射される弾と銃身の封止係合を強化するため外向きの拡張を外側の入れ子部分にしてもよい。
【００１４】
挟まれた各閉鎖部材は、その前面に対する発射装薬の圧力に反応して、隣接する弾に内蔵された装薬の吹き出し点火を阻止するために後方の弾の後部面に対して封止するように構成してもよい。このような反応的な封止は、弾の突き合わせ端面部の間及び／又は前方の弾と閉鎖壁部材の間でも発生する。
【００１５】
発射装薬の点火は、本発明者の先行する国際出願に記載と同じであってよい。このため、選択的に点火可能な発射装薬は、離隔して弾の周りに延在する一対のリングコンタクトに接続し、銃身から突出した電気コンタクトに接触し、電子制御手段に適当に関連付けられた電気作動の雷管を有している。
【００１６】
閉鎖部材は弾と一体であってよく、移動可能な壁セグメント又は閉鎖態様から開放態様に前方に拡がって実質的に銃身と同形の態様になる壁を有してよい。閉鎖態様にある時、壁セグメントは、前方の発射装薬の燃焼に反応して、閉鎖手段の閉鎖効果を維持又は強化することが出来る。
【００１７】
銃身に装填する前に、自身で発射装薬を持つ各弾は用意されるが、所望により前端開放の環状本体を持つ弾を逐次的に装填し、次いで開放端を閉鎖して別個の作業の時或いは次の環状弾を所定の位置に置く時に発射装薬を送ってもよい。
【００１８】
他の面に於いて、本発明は、火器又は弾薬の銃身アセンブリから発射する弾にあり、該弾は、
前記銃身アセンブリの銃身に装填され、該銃身に作動的に封止係合する開放端付き管状本体と、
前記管状本体と隣接する弾の管状本体の間に介在配置され、両方の弾のの間に作動的な銃身閉鎖を形成する閉鎖壁部材と、及び
隣接する弾の管状本体内の選択的に点火可能な発射装薬とを備え、該発射装薬は点火可能であって前記弾の管状本体を前記銃身の銃口を通って発射する。
【発明を実施するための最良の形態】
【００１９】
図１Ａ〜１Ｄに示す実施例において、銃身アセンブリ１０は銃身１２内に軸方向に突き合わせの関係で積重ねられた複数個の弾丸１１を有し、本発明者の先行する国際出願に示すように或いはこの分野で知られているように、これら弾丸は電気的に或いは他の方法で順次発射されようになっている。
【００２０】
各々の弾１１は、隣接する管状本体１３ａ，１３ｂ，１３ｃ及び１３ｄの間に相互に離間して配置された銃身閉鎖部材１４と、閉鎖部材１４の後方に配置された発射装薬１５とに関連する管状本体１３を備えている。発射装薬１５ａは、例えば、夫々の銃身閉鎖部材１４ａと１４ｂの間で後方の管状本体１３ｂ内に支持されている。この実施態様では、最後方の管状本体１３ｄを発射するため、更なる発射装薬１５ｄが銃身アセンブリ１０の後部延長部１６に内蔵されている。
【００２１】
図１Ａで分かるように、各本体１３の前方の環状端部１８は内向き且つ後ろ向きに延在して円錐の一部の形状の端面１９を形成する。この円錐の一部の形状の端面は、図１Ｂに示すように銃身閉鎖部材１４の後方外側周辺部にわたって形成された相補的な円錐の一部の形状の端面２２と協働する。更に相補的な円錐の一部の形状の端面２３は、各管状本体１３の相補的に形付けられた後部端壁２６を受け入れる凹部２５を提供するように、返し面２４に関連付けられる。
【００２２】
管状本体１３の残部は一定の管状部分であるのに対して、端壁２６は内方に返っているのが分かるが、所望なら本体１３を通るベンチュリ形を提供するように形成してもよい。
【００２３】
図１Ｂに示されるように銃身から先頭の本体１３が発射される際に、返しの壁部２６は閉鎖部材２４に捕捉されている。図１Ｃに示すように、閉鎖部材１４は、銃身１２内で付与される旋回による本体１３の回転の結果として飛行の際に管状本体から離脱してもよく、或いは図１Ｄに図示するように飛行の際に本体１３に留まるようにしてもよい。このため、閉鎖部材１４は、ネジ止め、ピン止め、接着、スエージ加工又は所望のその他の方法で、本体１３に固定することが出来る。
【００２４】
使用時、銃身アセンブリ１０は弾１１が積重ねられ、空の管状本体１３ａが先頭の弾丸となる。隣接する次の本体１３ｂ内で先頭の発射装薬１５ａが点火された時、結果として発生するガス圧が点火した発射装薬を包囲する前方及び後方端の閉鎖部材１４ａ，１４ｂの両方に対し作用する。ガス圧の作用により、前方の閉鎖部材１４ａは先頭の本体１３ａと共に銃身から発射される。同時にガス圧は後方の閉鎖部材１４ｂを強制的に後方の本体１３ｂに対して軸方向に圧縮し、その結果後方の本体の円錐の一部の形状の端面１９を半径方向に拡張する。
【００２５】
この構成は、後方の本体１３ｂの環状端部１８をくさび作用により銃身１２に封止係合し、閉鎖部材１４ｂをくさび作用により円錐形の一部の形状の端面１９に封止係合し、後方の次の装薬１５ｂの推進薬内に燃焼ガスが漏洩しないことを保証する。その後、図１Ｂに示すように空の本体１３ｂは、後方の次の本体１３ｃ内の推進薬１５ｂの点火によって、銃身アセンブリ１０から発射される。
【００２６】
図２Ａ〜２Ｄに示す銃身アセンブリの実施態様では、各々の弾は外向きに収束する壁セグメント３３を備えた環状本体３１をもち、これら壁セグメントは環状本体３１に対する夫々の閉鎖を形成するため突き合わせ又は重なっている。これらセグメント３３は、弾３０が銃身３６の長手方向に配置された時に相互に突き合わせとなる中央ランド部３５を提供する。
【００２７】
壁セグメント３３の好ましい形状は、図３に示すような一対の対向するセグメントであり、銃身３６内に配置された時に突き合わせとなる端部壁３９を有する本体延長部３８の間に配置される。
【００２８】
弾３０に内蔵された推進薬３７の点火時に前方のセグメント３３が開いて銃身３６に並んで横たわる。推進薬の点火により、図２Ａに部分的に図示された先頭の弾３０も発射される。この作用は、図２Ｂに示すように、銃身内で次の先頭の弾３０に対して実質的に管状の本体３１を提供し、この本体は、後方に向けて収束してランド部３５を提供する後方の閉鎖セグメント３３によってその後端でのみ閉鎖されている。ランド部３５は、隣接する次の弾３０の前方に向け収束するセグメント３３の前面に形成されたランド部３５と突き合わせとなっている。
【００２９】
隣接する次の後方の弾３０の推進薬３７が点火された時、その前方セグメント３３は開放して燃焼ガスの圧力を前方の本体３１の後方端にあるセグメント３３の後部面に接触するようにし、こうして銃身３６からその本体を発射する。この動作で、次の本体は発射が用意される。
【００３０】
セグメントは、交互に、本体３１の周辺の周りに置かれた底辺をもつ複数個のほぼ三角形であり、内方に向け延在してピラミッド形の閉鎖を形成する。
【００３１】
所望なら、後方の閉鎖セグメント３３は、ヒンジ部材３２によって管状本体３１に連結してもよく、図２Ｄに示すように管状本体３１を通って通過する空気圧によって銃身を出た時に開く。所望なら、これらセグメント３３は、本体３１の飛行を安定させ或いは必要なら本体を旋回させるため、飛行又は他の投射でも用意される。
【００３２】
上述により、前方の本体３１を発射する推進薬の燃焼からもたらされ高圧が、後方の弾の後方部分に作用して、それを次に続く弾の前縁に対して押し付け、次に続く弾における推進薬の望まない噴き出し点火を封止して、こうして火器が所望の発射速度で一定に動作ことを保証する。
【００３３】
動作時、銃身閉鎖部材１４は、自由遊動物となり、旋条付き銃身から発射されたら管状弾の回転により離れて或いは飛行中の空気圧によって離れて離脱部分として振る舞ってもよい。比較的長い範囲で結合しているに対して、弾は、離脱する部分によって、飛行機から発射する時に或いは鑑自衛のような領域で飛来ミサイルの攻撃に使用する時に必要なように空気力学的性能が改善される。
【００３４】
しかしながら、或る適用例では、閉鎖部材１４を管状本体３１に固定する方が有利であるかもしれない。例えば、閉鎖された弾は、埋められた地雷に対して多銃身から発射される。その後、このような弾は大地を本体３１内に取り込むように作用し、これを地雷位置から遠ざける。その効果は、大地に対する弾の運動衝撃に起因する通常の大地の擾乱に対して追加となりえるものである。このように多銃身から多数の弾が発射されると、埋められた地雷を露出させ及び／又は無力化させる改良された手段を提供する能力がある。
【００３５】
弾は銃身内で積重ねられながら相互に接触し、所期の位置に積極的に位置決めされる。実際、弾は薬莢を利用しており、これは弾丸自体として二役を兼ねている。
【００３６】
図４０に示す銃身アセンブリ４０では、銃身４１その前方端部又は銃口で切断されて図示され、前方の弾（図示せず。）は直前に銃身から発射され、最後尾の２個の弾４２及び４３だけが図示されている。この実施態様では、中間の弾４２の後部の内側端部４５の周りに延在する後方の弾４３の前部の外側端部４４によって、弾４２と４３とははまり込んでいる（入れ子式である）のが分かる。
【００３７】
全ての端面部は円錐の一部の形状であり、相互の隣接が終わる夫々の相補的な外側端面部４６及び４７を持ち、また相互に離間した関係で且つ閉鎖壁部材５０に突き合わせ関係の内側端面部４８及び４９をもっている。この閉鎖部材は、円錐の一部の形状の端面５４ももった周辺部５２を有している。この実施形態では、入れ子式の壁部分４４及び４５は比較的長く、一方が他方に密にフィットするように形成されている。
【００３８】
使用時に先頭の弾（図示せず。）が離れた際、推進薬の圧力が、点火された推進薬を内蔵する中間の弾４２の閉鎖部材５０に向かって作用する。これにより、壁部材５０の端面５４は、後方の弾４３の内側の相補的な端面部４９に対して押し付けられる。先頭の弾が出て行く際、圧力がこうして後方の弾４３の前方端４７，４９に作用して、中間の弾４２を強制的に外向き且つ後ろ向きにし後方端面４６をくさび作用により外側の前面端面部４７に係合し、両者間に封止を形成する。また、外向きの圧力は、後方の弾４３の前方の外側端部４４の前方端５１を拡げて銃身４１に係合させる。
【００３９】
内側の面４８，４９もくさび作用により、閉鎖壁部材５０の周辺部５２に対して封止係合し、後方の弾４３の推進薬に向かう点火による噴き出しを防止する。更に、推進圧力は、中間の弾４２の後部の内側端部４５を拡げて後方の弾４３の前方の外側端部４４に密に係合し、銃身４１への漏洩を最小限にする。
【００４０】
図示するように、雷管５５は選択的に点火可能な各発射装薬５６内に位置決めされていて、弾４２，４３の外側周辺に沿って離間する正及び負のスリップリングコンタクトに接続している。銃身４１には、対応して位置決めされたスプリングコンタクト５３，５９が用意され、夫々のコンタクトリング５７，５８との接触するため銃身内に突出している。
【００４１】
雷管を作動し、発射装薬５６を点火するために、適当な電子制御が用意されている。これらの周辺のコンタクト５７，５８は図３に示すような図示の全ての弾で適当に利用される。
【００４２】
図５に示す銃身アセンブリ６０は、図４に示す実施例と同様であり、相違点は弾６１が反転し、また銃身６４内に設けられた環状スカート部６３にある。図４の実施態様では弾４２，４３が後方で減少する内部壁をもっているのに対し、弾６１の内側壁６２は長さの大部分を通して一定の直径でその後外方に拡がっている。この構成によれば、実施例４の実施態様より有効な封止は少ないが、一層空気力学的な形状が提供されると思われる。
【産業上の利用可能性】
【００４３】
本発明に係る銃身アセンブリ及び管状弾は、小型武器に利用され、２０ｍｍ以上の弾に一層適すると思われる。隣接する管状弾の前側端部を強制的に外側に向けて銃身の銃口と接触させて、くさび作用により銃身の封鎖を銃身或いは環状の前方端部と封止係合させ留めることによって、又は封鎖部材を管状弾の円錐の一部の形状の内側端部に密な封止接触させて、その前方端部を銃身に係合させる実質的な拡張をせずに、銃身の各封鎖は隣接する管状弾の前側環状端部と協働して行われることが分かる。
【００４４】
閉鎖と管状弾の間の封止が達成された時点で、しかし管状弾の前方端野半径方向拡張が発生する前に、封鎖の後方への移動を停止する前方端部で止めることにより、このくさび作用は、くさび角度を比較的急勾配に維持することにより達成される。代わりに、前方の弾からの推進力によって生じるくさび作用の影響により外向きに拡がるのを阻止するため、前方端を十分に強固に形成してもよい。このような封止作用は低圧力で銃口の初速が低い応用例に一層適している。
【００４５】
銃身内で積重ねられた弾を図示したが、弾は公知の外部マガジンから兵器に個々に供給されるようにしてもよい。このため、各々の弾は、推進薬を弾に保持するために、弾の後部端に適当に固定された封止壁と封止用詰め物等を持つことができる。
【００４６】
本発明に係る開放管状弾を利用する銃身アセンブリは、艦船、潜水艦又は地上の遮蔽された自衛施設のような水中からの発射にも使用できる。例えば、潜水艦は、自衛、水中機雷の破壊又は対魚雷又はミサイル活動のために、このような銃身アセンブリを利用できる。
【００４７】
勿論、上述の実施態様は本発明の図示した実施態様であり、当業者にとって明らかな修正及び改変は、添付の請求の範囲に基づいた本発明の範囲に含まれることを理解されたい。
【図面の簡単な説明】
【００４８】
【図１】図１Ａ〜１Ｄは、本発明の一形態とその動作様式を、概略的に示した断面図である。
【図２】図２Ａ〜２Ｄは、本発明の他の実施形態とその動作様式を、概略的に示した断面図である。
【図３】図３は、図２Ａ〜２Ｄに示す実施形態の一個の弾を示す斜視図である。
【図４】図４は、本発明の更に他の実施形態を、概略的に示した断面図である。
【図５】図５は、本発明の更に他の実施形態を、概略的に示した断面図である。
【国際公開パンフレット】
2004526937.tif 000003
2004526937.tif 000004
2004526937.tif 000005
2004526937.tif 000006
2004526937.tif 000007
2004526937.tif 000008
2004526937.tif 000009
2004526937.tif 000010
2004526937.tif 000011
2004526937.tif 000012
2004526937.tif 000013
2004526937.tif 000014
2004526937.tif 000015
2004526937.tif 000016
2004526937.tif 000017
2004526937.tif 000018
2004526937.tif 000019
2004526937.tif 000020
2004526937.tif 000021
2004526937.tif 000022
【国際調査報告】
2004526937.tif 000023
2004526937.tif 000024
2004526937.tif 000025